(57)【要約】  圧力容器は、蓋を有しており、それは、第１アクチュエータによって係止解除位置まで回転可能であり、その後、ハウジングに沿って固定された第２アクチュエータによってそのハウジングより上方に垂直に上昇する。圧力安全ラッチが設けられることにより、蓋がその係止解除位置まで移動する前に容器が排気されるとともに、回転動作の係止解除を行うように蓋が解放される。
2010513821.tif 000002
【特許請求の範囲】
【請求項１】
ハウジングであって、前記ハウジング内への開口を画定する側壁を有するハウジングと、
前記開口の上にわたる蓋であって、前記側壁および前記蓋の各々が、前記蓋が閉鎖位置にある時に前記蓋を前記ハウジングに固定する相互係合部を有し、前記蓋が、前記閉鎖位置から開放位置まで前記ハウジングに対して回転可能であり、それにより前記蓋を前記ハウジングから取り外すことができる、蓋と、
前記蓋と前記ハウジングとの間に連結された駆動装置であって、それにより、前記蓋をその開放位置と閉鎖位置との間で回転させることができる、駆動装置と、
前記ハウジングに連結され前記ハウジングと前記蓋との間に延在し、前記蓋を前記ハウジングに対して上昇させて前記ハウジング開口を露出させる、第２駆動装置と、
を具備する、圧力容器。
【請求項２】
前記蓋に固定された上端と、前記ハウジング側壁に対して摺動可能に支持される下端とを有するダビットであって、前記蓋が前記ハウジングに対して上昇かつ下降する際、前記ダビット下端が前記側壁に対して上方にかつ下方にシフトする、ダビットを具備する、請求項１に記載の圧力容器。
【請求項３】
前記蓋が、垂直軸を中心に回転可能であるように前記ダビット上端に枢支連結される、請求項１に記載の圧力容器。
【請求項４】
前記ハウジングと前記ダビット下端との間に連結されたパワーアクチュエータを具備する、請求項２に記載の圧力容器。
【請求項５】
前記蓋に連結された上部ラッチ部と、前記ハウジングに連結された下部ラッチ部とを有する安全ラッチであって、前記蓋がその前記閉鎖位置にある時に前記上部ラッチ部と前記下部ラッチ部とが整列し、前記上部ラッチ部が、前記ハウジングの内部への排気開口を画定し、前記下部ラッチ部がプランジャを保持し、前記プランジャが、前記排気開口を封止するように前記上部ラッチ部内に突出する内方位置と、前記ハウジング内部からの排気を可能にする前記排気開口からの外方位置と、を有する、安全ラッチを具備する、請求項２に記載の圧力容器。
【請求項６】
前記プランジャがその前記内方位置にある時、前記上部ラッチ部および前記下部ラッチ部が互いに対して横方向に移動することが防止され、前記蓋がその前記閉鎖位置で固定される、請求項５に記載の圧力容器。
【請求項７】
前記蓋が前記ハウジング開口の上にわたる場合に前記蓋に遮蔽材を具備する、請求項５に記載の圧力容器。
【発明の詳細な説明】
【技術分野】
【０００１】
本発明は、液体フィルタに関し、特に加圧ろ過容器に適用される。
【背景技術】
【０００２】
以下の説明は、米国特許第５，９１８，７５６号明細書に開示されている容器および容器ロックダウンシステムに対する改良である圧力容器について述べている。上述した特許の内容および開示は、参照により本明細書に援用される。
【発明の概要】
【課題を解決するための手段】
【０００３】
本発明は、容器蓋を容器ハウジングに係止しかつ容器ハウジングから係止解除することができる、加圧ろ過容器用のロックダウンシステムである。容器ハウジングは、容器の上に延在しかつ蓋を支持するダビットアームを保持している。ハウジングは、蓋の下部円筒状側縁に係合する上部円筒状部を有している。ハウジング円筒状部の上方に、複数の放射状に延在する留め部材が間隔を空けて配置されている。対応する複数のフック状保持部材が蓋の側縁から下方に延在しており、蓋がハウジング上まで下降した時にハウジングの円筒状部の上に重なる。蓋がハウジングの上に位置し、ハウジングと蓋との間に駆動装置が設けられ、作動すると、蓋を回転させ、留め部材が保持部材と係合して、蓋を下方に引いてハウジングと封止係合させる。蓋は、この駆動装置の方向を反転させ、リフトピストンを動作させることによって取り外される。リフトピストンは、ハウジングの側部に沿って位置しており、蓋を、その開放回転移動の後に上方に上昇させることにより、容器ハウジング内のろ過要素を交換するための隙間を提供する。
【０００４】
したがって、本発明の目的は、蓋を迅速に容器ハウジングに取り付けかつ容器ハウジングから取り外すことができる加圧ろ過容器用の容器ロックダウンシステムを提供することである。
【０００５】
本発明の別の目的は、蓋をハウジングから係止解除した時に真上に伸長させて容器ハウジングの内部を露出させることができる、液体ろ過容器用の容器ロックダウンシステムを提供することである。
【０００６】
本発明のさらに別の目的は、蓋を係止解除する前に容器を減圧する目的で圧力解放安全ラッチ組立体を有する加圧ろ過容器を提供することである。
【０００７】
本発明のさらに別の目的は、安全に使用できる加圧ろ過容器を提供することである。
【０００８】
本発明のさらに別の目的は、容器の蓋を開放する際に容器の内部から外側への噴霧を低減するために遮蔽材を有する加圧ろ過容器を提供することである。
【０００９】
本発明の他の目的は、以下の説明を読むことから明らかとなろう。
【００１０】
本発明の好ましい実施形態を、例示および説明の目的で選択した。
【図面の簡単な説明】
【００１１】
【図１】本発明のロックダウンシステムを組み込んだ圧力容器の斜視図である。
【図２】圧力容器の側面図である。
【図３】蓋が係止解除され上昇した状態を示し、例示のためにろ過要素が取り除かれている、圧力容器の側面図である。
【図４】例示のために容器蓋の一部が断片化されており、容器ハウジング内のろ過要素を示す、圧力容器の上面平面図である。
【図５】容器内の流体流を示すように例示のために容器蓋およびハウジングの一部が取り除かれている圧力容器の立面図である。
【図６】上方から見た圧力容器用の液圧制御部の部分図である。
【図７】蓋をハウジングに固定する、容器ハウジングの留め部材と係止係合する蓋保持部材を示す詳細図である。
【図８】作動レバーがその開放位置まで移動した状態を示す液圧制御部の上面平面図である。
【図９】図７に類似する詳細図であるが、保持部材が容器ハウジング留め部材から解除され、蓋が持ち上げられるために緩められている状態を示す。
【図１０】本発明の作動要素および流れ制御要素を示す液圧流体流の図である。
【発明を実施するための形態】
【００１２】
例示する好ましい実施形態は、網羅的であるようにも、本発明を開示する厳密な形態に限定するようにも意図されていない。それは、本発明を説明しかつ最もよく例示し、当業者が本発明を利用することができるように選択されている。
【００１３】
本発明の圧力容器１０は、本体またはハウジング１２と、蓋１４と、図１０において詳細に最もよく示す液圧作動または制御システム１６と、を有している。ハウジング１２は、脚１８によって支持されており、円筒状側壁２０と上部円筒状部２４とを有している。円筒状部２４はＯリング３０を保持しており、それは、蓋１４がその閉鎖かつ係止位置にある時、蓋１４とハウジング１２との間に封止を提供する。ハウジング１２内には、複数のフィルタバッグ３２または同様のろ過要素が支持されている。図５において矢印３３によって表されている液体流は、入口管３６によって容器に入り、フィルタバッグ３２の上部まで上方に流れた後、下方に流れてフィルタバッグ３２内に入りその中を流れ、その後、出口管３８によって容器から出る。
【００１４】
ダビットアーム４０が、容器ハウジング１２の側壁２０において伸縮垂直移動するように、上部スリーブブラケット４２および下部スリーブブラケット４４によって支持されている。ダビットアーム４０は、その上部自由端において蓋１４に連結され、かつ蓋１４を支持している。図１および図２では、ダビットアームはその収縮位置にあり、蓋１４はハウジング１４の上に着座している。図３では、ダビットアームはその伸長位置にあり、ハウジングの内部を露出させるように蓋１４を容器ハウジング１２から持ち上げており、それによりフィルタバッグ３２を取り外し交換することを可能にしている。
【００１５】
容器ハウジング１２の円筒状部２４の外面に、複数のラグまたは留め部材５８が取り付けられている。留め部材５８の各々は、傾斜カム面６８を有している。留め部材５８は、円筒状部２４の周囲に実質的に等しい角度間隔で隔置されており、すべてのカム面６８が、容器ハウジング１２の上部壁２６に対して実質的に平行な同じ面にある。
【００１６】
蓋の側縁７０に、各々が指状部８４を有するかまたは含んでいる複数のフック状保持部材８０が、容器ハウジング１２に取り付けられている留め部材５８の間隔に対応する離隔した角度間隔で取り付けられている。各保持部材の指状部８４は、傾斜カム面９２を有している。留め部材５８および保持部材８０の関係および動作方法については、参照により本明細書に援用される米国特許第５，９１８，７５６号明細書により完全に記載されている。
【００１７】
蓋１４の上部には、圧力計７７に関連して排気装置７６が取り付けられている。圧力計７７は、蓋１４が容器ハウジング１２に固定されかつ係止され、容器がろ過動作中にある時、容器内の内圧を示す。排気装置７６は、蓋を係止解除して持ち上げる前に容器の内部を排気するために使用される。
【００１８】
容器ハウジング１２の一側面には、圧力除去安全ラッチ１００が取り付けられている。上部ラッチ部１１０が、蓋の側縁７０に連結されており、下部ラッチ部１１２が、好ましくはＯリングによってハウジング１２の円筒状部２４に連結されている。Ｏリングは、図１に示すように上部ラッチ部と下部ラッチ部とが垂直に重なるよう整列した時に、それらの間に封止を提供するように、下部ラッチ部によって保持されている。上部ラッチ部１１０内には、蓋１４の内部への排気開口１１４が延在している。排気開口１１４は、上部ラッチ部１１０の内部においてノズル端で終端している。プランジャ１１６が、下部ラッチ部１１２内で摺動可能に適合し、ラッチ部が垂直に整列した時、上部ラッチ部の開口１１４のノズル端と封止係合するように上方にシフト可能である。プランジャ１１６は、トグルクランプ１１８によって容器ハウジング１２の側壁２０に固定されている。通常作動動作中、プランジャ１１６は上部ラッチ部１１０内に延在し、開口１１４を封止し、上部ラッチ部と下部ラッチ部との間における横方向の移動、したがって蓋１４の開放動作を防止する。トグル１１８が作動すると、プランジャ１１６は、上部ラッチ部１１０の内部から引き出され、容器の内部の、開口１１４を通りプランジャに沿ったキー溝に沿って周囲空気への排気が可能になり、蓋１４がその開放位置まで回転する際に、上部ラッチ部および下部ラッチ部が互いに対して横方向に移動することができるようになる。このように、圧力除去安全ラッチ１００により、ハウジング容器の内部が適当に排気されるまで蓋１４が早まって開放することが防止される。
【００１９】
図１０に、液圧制御部１６を概略形態で示す。液圧制御部１６は、ハウジング１２に連結された台９８の上に保持されたポンプ９６を有している。ポンプ９６によって汲み上げられる液圧流体用の適当な配管が、さまざまな動作部品、すなわちハウジング１２に対して蓋１４を回転させる駆動組立体１０２と、ハウジング１２に対して蓋１４を上昇させるリフトまたはシリンダ１０４と、を連結している。ポンプ９６は、ハンドル１０６によって手動で操作される。配管１２４内を流れる液圧流体は、制御弁１１１によって制御される。シリンダ１０４は、ハウジング１２とダビットアーム４０の下端との間に連結されており、ダビットアーム４０は、上部スリーブブラケット４２および下部スリーブブラケット４４により摺動移動するように、垂直の向きに案内される。シリンダ１０４のピストンロッド１０５は、伸長および収縮する時、ダビットアーム４０のハウジング１２に対する上昇および下降をそれぞれもたらす。蓋１４を回転させる駆動組立体１０２は、蓋１４の側縁７０に連結されるかまたは固定されるシリンダ１０３を有しており、そのピストンロッド１０７はダビットアーム４０に固定されている。枢支連結部４５がダビットアームを蓋１４の上部に連結し、それにより、蓋はダビットアームに対して垂直軸を中心に回転可能である。したがって、シリンダ１０４が作動しそのピストンロッド１０５が伸縮する時、蓋１４は垂直軸を中心にダビットアームに対して回転する。蓋およびダビットアームの各々に調整プレート４７が連結されており、それらは、調整ボルト４９によって相互連結されている。ボルト４９を回転させることにより、プレート間の間隔を変更することができ、蓋をハウジングの上縁と同一高さにすることができる。
【００２０】
本発明の容器ロックダウンシステムを動作させるためには、制御弁１１１が、図６に示すその閉鎖位置、すなわち、イネーブル（ｅｎａｂｌｅ）弁１２２が直接重なっている保持部材８０のカム作用によって押し下げられている位置（図７参照）から、図８に示すその開放位置まで付勢される。この時点で、排気装置７６が開放され、圧力除去安全ラッチ１００が、上部ラッチ部１１０からプランジャ１１６を引き出すトグルクランプ１１８の開放によって解放され、蓋が回転するように解放されハウジングの内部が排気される。そして、ハンドル１０６を回すことによってポンプ９６が作動して、液圧流体が管路１２４および制御弁１１１内を通過してシリンダ１０３内に入り、それにより、そのピストンロッド１０５が収縮し、結果として蓋１４が容器ハウジング１２に対して右回りに回転する。これにより、保持部材８０の各々が摺動して、重なっている留め部材５８との係合状態から解放され、それにより蓋が、ハウジングに対して上方に自由に移動できるようになる。上部ラッチ部１１０によって遮蔽材１１３が保持されており、蓋１４とハウジング１２との間の接合部の周囲において、別の遮蔽材１１５が撓曲しその接合部を覆っており、保持部材８０に取り付けられたクリップ１１７内に保持されている。遮蔽材１１３、１１７は、容器内から出るすべての噴霧を偏向させる役割を果たす。保持部材８０がハウジングに対して横方向にシフトすると、イネーブル弁１２２が、重なっている保持部材８０の外面を横切り、それにより、すべての係合部材８０が重なっている留め部材５８から解放されると、弁１２２がそのプローブ１２３を伸長位置まで偏らせて弁を開放する。ここで弁１２２が開放していることにより、ポンプ９６によって提供される液圧流体が配管１２５内に流れてシリンダ１０４に入る。この時、ハンドル１０６によってポンプ９６を連続作動させると、シリンダ１０４のピストンロッド１０５が伸長し、それによってスリーブブラケット４２および４４内でダビットアーム４０が持ち上がり、蓋１４がハウジング１２から上昇する。ポンプ９６に対する連続した汲み上げにより、蓋１４が上昇し続ける。それは、ダビットアームにおいてハウジング２０によって保持されているばね式留めピン１８２が、ダビットアームの開口内にばね付勢され、ダビットアームがスリーブブラケット４４に対し、したがってハウジング２０に対し確実に移動するようになるまで続く。この時点で、ポンプ９６の作動が終了する。
【００２１】
フィルタ容器１０の内部へのアクセスが必要でなくなると、蓋１４を下げることができる。制御弁１１１が依然としてその開放位置にある状態で、ポンプ９６を数回作動させて蓋をわずかにさらに上昇させ、それにより留めピン１８２に対する圧力を軽減することが好ましい。この時点で、留めピン１８２は、ダビットアーム４０から引き出され、制御弁はその閉鎖位置に配置される。これにより、制御弁１１１を通る液圧流体の逆流が可能となり、蓋１４が重力によってハウジング１２に対して下降することができる。流れ制御弁１１３が、蓋の下降（ｄｅｃｅｎｔ）の速度を制御する。蓋がハウジング１２上まで下降すると、ポンプ９６が作動して蓋１４においてシリンダ１０３内に液圧流体が逆流することによって、ロッド１０７が伸長し、蓋がハウジング１２に対して右回りに回転する。保持部材８０が各々摺動し、重なっている留め部材５８の下でカム動作し、それにより蓋が引っ張られてハウジング１８と封止係合する。同時に、イネーブル弁１２２に隣接する保持部材８０がそのプローブ１２３と接触しかつ係合し、蓋の次の上昇に備えてシリンダ１０４への流れが隔離される。ここで、圧力除去安全ラッチ１００のトグルクランプ１１８が解放され、そのプランジャ１１６が上部ラッチ部１１０に再度入って、蓋がハウジング１２に対して回転移動しないように固定され、容器の内部への排気口１１４が封止される。
【００２２】
本発明は上述した詳細に限定されるべきではなく、添付の特許請求の範囲内で変更が可能である。
【図１】
2010513821.tif 000003
【図２】
2010513821.tif 000004
【図３】
2010513821.tif 000005
【図４】
2010513821.tif 000006
【図５】
2010513821.tif 000007
【図６】
2010513821.tif 000008
【図７】
2010513821.tif 000009
【図８】
2010513821.tif 000010
【図９】
2010513821.tif 000011
【図１０】
2010513821.tif 000012
【手続補正書】
【提出日】平成20年10月15日(2008.10.15)
【手続補正１】
【補正対象書類名】特許請求の範囲
【補正対象項目名】全文
【補正方法】変更
【補正の内容】
【特許請求の範囲】
【請求項１】
ハウジングであって、前記ハウジング内への開口を画定する側壁を有するハウジングと、
前記開口の上にわたる蓋であって、前記側壁および前記蓋の各々が、前記蓋が閉鎖位置にある時に前記蓋を前記ハウジングに固定する相互係合部を有し、前記蓋が、前記閉鎖位置から開放位置まで前記ハウジングに対して回転可能であり、それにより前記蓋を前記ハウジングから取り外すことができる、蓋と、
前記蓋と前記ハウジングとの間に連結された駆動装置であって、それにより、前記蓋をその開放位置と閉鎖位置との間で回転させることができる、駆動装置と、
前記ハウジングに連結され前記ハウジングと前記蓋との間に延在し、前記蓋を前記ハウジングに対して上昇させて前記ハウジング開口を露出させる、第２駆動装置と、
前記蓋に固定された上端と、前記ハウジング側壁に対して摺動可能に支持される下端とを有するダビットであって、前記蓋が前記ハウジングに対して上昇かつ下降する際、前記ダビット下端が前記側壁に対して上方にかつ下方にシフトする、ダビットと、
を具備し、
前記第２駆動装置が、前記ハウジングと前記ダビット下端との間に連結されたパワーアクチュエータを有する、圧力容器。
【請求項２】
前記蓋が、垂直軸を中心に回転可能であるように前記ダビット上端に枢支連結される、請求項１に記載の圧力容器。
【請求項３】
ハウジングであって、前記ハウジング内への開口を画定する側壁を有するハウジングと、
前記開口の上にわたる蓋であって、前記側壁および前記蓋の各々が、前記蓋が閉鎖位置にある時に前記蓋を前記ハウジングに固定する相互係合部を有し、前記蓋が、前記閉鎖位置から開放位置まで前記ハウジングに対して回転可能であり、それにより前記蓋を前記ハウジングから取り外すことができる、蓋と、
前記蓋と前記ハウジングとの間に連結された駆動装置であって、それにより、前記蓋をその開放位置と閉鎖位置との間で回転させることができる、駆動装置と、
前記ハウジングに連結され前記ハウジングと前記蓋との間に延在し、前記蓋を前記ハウジングに対して上昇させて前記ハウジング開口を露出させる、第２駆動装置と、
前記蓋に固定された上端と、前記ハウジング側壁に対して摺動可能に支持される下端とを有するダビットであって、前記蓋が前記ハウジングに対して上昇かつ下降する際、前記ダビット下端が前記側壁に対して上方にかつ下方にシフトする、ダビットと、
前記蓋に連結された上部ラッチ部と、前記ハウジングに連結された下部ラッチ部とを有する安全ラッチであって、前記蓋がその前記閉鎖位置にある時に前記上部ラッチ部と前記下部ラッチ部とが整列し、前記上部ラッチ部が、前記ハウジングの内部への排気開口を画定し、前記下部ラッチ部がプランジャを保持し、前記プランジャが、前記排気開口を封止するように前記上部ラッチ部内に突出する内方位置と、前記ハウジング内部からの排気を可能にする前記排気開口からの外方位置と、を有する、安全ラッチと、
を具備する、圧力容器。
【請求項４】
前記プランジャがその前記内方位置にある時、前記上部ラッチ部および前記下部ラッチ部が互いに対して横方向に移動することが防止され、前記蓋がその前記閉鎖位置で固定される、請求項３に記載の圧力容器。
【請求項５】
前記蓋が前記ハウジング開口の上にわたる場合に前記蓋に遮蔽材を具備する、請求項３に記載の圧力容器。
【国際調査報告】
2010513821.tif 000013